(57)【要約】【課題】  自立性をもたせた薄肉ブロー容器に取手を取着して容器を安定的に保持できるようにし、内容物の移し替えにあたって注出口を容器の口部に差込み、移し替えの途中においても、ブロー容器を傾けて移し替えを簡単に中止できるようにした取手付薄肉ブロー容器を提供すること。【解決手段】  流体を封入した取手が、容器本体の側部に連設されていることを特徴とし、また、流体を封入した取手が、ストレートな袋状物から形成され、取手の端縁が容器本体の側部に連設されていることを特徴とする。【選択図】  図１
2005231724.tif 000002
【特許請求の範囲】
【請求項１】
流体を封入した取手が、容器本体の側部に連設されていることを特徴とする取手付薄肉ブロー容器。
【請求項２】
流体を封入した取手が、ストレートな袋状物から形成され、取手の端縁が容器本体の側部に連設されていることを特徴とする取手付薄肉ブロー容器。
【発明の詳細な説明】
【技術分野】
【０００１】
本発明は、薄肉ブロー容器、とくに取手を具備した自立性を有する薄肉ブロー容器に関するものである。
【背景技術】
【０００２】
底部がフィルムを内側に折り返されたガセット形式で形成され、上部が開口するスタンディングパウチにおいて、上部のコーナー部に、外周がヒートシート部により封止され、上方に突出する注出口部が形成されるようにしたパウチは、従来より知られている（特許文献１参照）。
また、底部をガセット形式としたスタンディングパウチで、上部のフィルム接着部に保持孔を形成したパウチも知られている（特許文献２参照）。
【０００３】
スタンディングパウチに代替するものとして、ブロー成形によって薄肉、軽量のボトルを形成し、ラベルを貼着して補強した自立性ボトルも、従来より知られている（特許文献３参照）。
【特許文献１】特開平１１−１１４９６号公報
【特許文献２】特開２００２−１５４５５２号公報
【特許文献３】特開２００１−４８１４８号公報
【発明の開示】
【発明が解決しようとする課題】
【０００４】
しかしながら、上記特許文献１記載のパウチは、注出口部を簡単に開封するようにし、詰替え対象の容器の口部にパウチの注出口を差込み、簡単に移し替えるようにしているが、パウチを安定して把持することができないので、容器の口部からパウチの注出口が外れて内容液を外にこぼすことがあるという問題があった。
【０００５】
上記特許文献２記載のパウチは、保持孔が形成されており、袋の持ち運びが容易にできるとともに、パウチを折り曲げて保持孔を合わせ手指を差込んで持ち上げることにより、パウチを傾け内容物を移し替えるようにしているが、液が少なくなると、パウチが上下に折れ曲がることによって注出を続けることができなくなり、保持孔がパウチの取手として役に立たないという問題があった。
【０００６】
また、上記特許文献１、２記載のパウチは、フィルムを接着して形成するものであるから、フィルムの成形、パウチ形状へのカット、接着という工程が必要であるので、コストが高くなるという問題があった。
【０００７】
特許文献３記載の薄肉のブロー容器は、胴部の剛性が強化されており、内容物の移し替えにあたっても容器の口部に注出口を差し込み、倒立させておけば最後まで移し替えることができるが、移し替えを途中でやめるために正立させる場合には、液が減少しているので容器外形が変形し易くなり、容器を安定的に保持できないという問題があった。
【０００８】
本発明は、上記問題を解決することを課題として、自立性をもたせた薄肉ブロー容器に取手を取着して容器を安定的に保持できるようにし、内容物の移し替えにあたって注出口を容器の口部に差込み、移し替えの途中においても、ブロー容器を傾けて移し替えを簡単に中止できるようにした取手付薄肉ブロー容器を提供することを目的とする。
【課題を解決するための手段】
【０００９】
本発明は、上記の課題を解決するため、取手付薄肉ブロー容器として、流体を封入した取手が、容器本体の側部に連設されていることを特徴とする構成を採用する。
【００１０】
取手付薄肉ブロー容器の別実施例として、流体を封入した取手が、ストレートな袋状物から形成され、取手の端縁が容器本体の側部に連設されていることを特徴とする構成を採用する。
【発明の効果】
【００１１】
流体を封入した取手を、容器本体に取着したから、薄肉のブロー容器を安定的に保持することができ、ブロー容器を傾け、内容液を他の容器に移し替えたり、移し替え途中で、注出口を容器口部から離し、移し替えを中止することができる。
【発明を実施するための最良の形態】
【００１２】
次に、本発明の薄肉ブロー容器について、実施例をあげて説明する。
【実施例１】
【００１３】
図１において、Ａは容器本体、Ｂは容器本体に取着された取手である。
図１〜３に示すように、容器本体Ａは、肩部１と胴部２、底部３とからなり、ブロー成形によって成形されている。
【００１４】
肩部１の上端には、開口４が形成されており、肩部１の一側部は、傾斜面５となっており、下方は広巾となっている。
傾斜面５のほぼ中央から注出口部６が突設されている。
注出口部６の先端近くには、切断用の凹溝７が設けられており、凹溝７は、底面を鋭角状に形成することによって切断可能となっており、凹溝７を切断することによって、注出口を形成することができる。
また、注出口の開口は、ハサミ等を使って凹溝７を切断するようにしてもよい。
【００１５】
胴部２は、前後の壁面８ａ、８ｂ、側部の壁面９ａ、９ｂからなり、側部の壁面９ａ、９ｂは、中央が膨出した湾曲面となっている。
【００１６】
底部３は、前後の接地底面１０ａ、１０ｂと、接地底面１０ａ、１０ｂから上方に延び中央部を稜線とした底壁面１１とからなっている。
【００１７】
取手Ｂは、把持部１５と、該把持部１５から内方に湾曲させた上下の接合部１６ａ、１６ｂとからなり、上接合部１６ａの上端は開口１７となっており、下接合部１６ｂ下端は封鎖されている。
取手Ｂは、上接合部１６ａの端縁の接着線１８ａが、注出口部６とは反対側の肩部１に、下接合部１６ｂの接着線１８ｂが壁面９ａの中央部分に接着され、容器本体Ａに取着されている。
【００１８】
取着は、ヒートシール、接着剤による接着など適宜の方法によって取着けられる。
【００１９】
次に、容器の成形方法について説明すると、本発明のブロー容器は、ダイレクトブロー、または延伸ブローによって成形され、成形樹脂として、ＰＥ、ＰＰ、或いはＰＥＴが用いられるが、ＥＶＯＨ樹脂、ポリアミド樹脂等との積層構成としてもよい。
胴部２の壁面は、薄肉とされており、内容液を入れたときに、底部３に接地底面１０ａ、１０ｂが形成されていることによって、自立性が付与されている。
【００２０】
次に、薄肉容器の使用態様と作用効果について説明する。
本薄肉容器には、内容液として詰め替え用の洗剤、化粧料、食料などが収容される。
内容物の充填時には、容器を正立状態に維持させ、肩部１上端の開口４より内容液を充填し、同時に取手Ｂの開口１７より圧縮空気を吹き込み、取手Ｂをふくらました状態とする。
所要の内容液を充填した後に、図２に示すように、双方の開口４、１７を同時にヒートシールすることによって、容器本体Ａには内容液が、取手Ｂには空気が密封される。
内容液を充填した薄肉容器は、函詰め出荷される。
【００２１】
容器の使用にあたっては、まず、注出口部６の切断用の凹溝７を切り、注出口を開孔する。
所要の容器への詰め替えにあたっては、取手Ｂをもって容器本体Ａを傾け、注出口を容器口部に差込み、容器本体Ａを倒立させるようにすると、内容物を移し替えることができる。
また、移し替えを途中で中止するときには、取手Ｂをもって容器を元に戻すことができ、その際、内容液が少なくても、取手Ｂにより容器が保持されているので、注出口が揺れ動くことがなく、注出口が容器の口部から外れ、内容物がこぼれるようなことはない。
【００２２】
移し替えの中止、再開が自由にできるので、薄肉容器を大容量の容器とし、複数個の所要容器に内容液を分配して注出すること、また、一個の容器に内容液を使いきる毎に、必要量の詰め替え用内容液を移し替えることができる。
この場合、キャップ、押込み栓などを使って注出口を密封するようにしてもよい。
【実施例２】
【００２３】
次に、第２実施例について、説明する。
本実施例は、取手をストレートにし、全端縁を容器側部に接着したものである。
容器本体は、前実施例と同一であるので、同一の符号をもって図示し、取手とその取付についてのみ説明する。
【００２４】
図４において、Ａは容器本体、Ｂａは取手である。
取手Ｂａは、上端を開口２０としたストレート状の袋状物２１で、側端縁２２は直線となっている。
取手Ｂａは、成形後にその側端縁２２を容器本体Ａ側部の壁面９ａ中心線上にヒートシール、接着剤等により接着される。
取手Ｂａは、容器本体Ａの補強部材となり、容器本体Ａの高さに対して少なくとも２／３以上であることが望ましい。
【００２５】
前実施例と同様に、内容物の充填時には、容器本体Ａに内容物が充填され、取手Ｂａには圧縮エアが送り込まれ、充填後、容器本体Ａの開口４と取手Ｂａの開口２０がシールされる。
【００２６】
注出にあたって、取手Ｂａを把持することによって、容器本体Ａを傾けることができ、前実施例と同様の作用効果を得ることができる。
【００２７】
前記各実施例では、容器本体と取手とを別体として成形し、取手を容器本体に接着によって取着し、内容物の充填時に取手に圧縮エアを吹き込むようにしたが、容器本体と取手を一体成形してもよい。
【００２８】
また、前記各実施例では、取手内に圧縮エアを封入しているが、取手内に封入される流体としては、空気や不活性ガス等の気体、水などの液体、或いは、液体窒素などの液化不活性ガスを封入し、気化させてもよい。
【産業上の利用可能性】
【００２９】
流体を封入した取手を自立性薄肉ブロー容器に取付け、容器を保持するようにしたから、容器の使い勝手がよくなった。
また、本発明の取手を取着することによって、詰め替え容器だけではなく、一般のブロー容器の薄肉化にも役立たせることができる。
【図面の簡単な説明】
【００３０】
【図１】本発明第１実施例の薄肉ブロー容器成形時の斜視図である。
【図２】薄肉ブロー容器の正面図である。
【図３】薄肉ブロー容器の側面図である。
【図４】第２実施例の薄肉ブロー容器成形時の斜視図である。
【図５】薄肉ブロー容器の正面図である。
【符号の説明】
【００３１】
Ａ          容器本体
Ｂ、Ｂａ    取手       
１          肩部
２          胴部
３          底部
４、１７、２０  開口
５          傾斜面
６          注出口部
７          凹溝
８ａ，ｂ    壁面
９ａ，ｂ    壁面
１０        接地底面
１１        底壁面
１５        把持部
１６ａ，ｂ  接合部
２１        袋状物
２２        側端縁
【図１】
2005231724.tif 000003
【図２】
2005231724.tif 000004
【図３】
2005231724.tif 000005
【図４】
2005231724.tif 000006
【図５】
2005231724.tif 000007